【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態として、遊技者に所定の有利価値を付与する第１有利状態と、該第１有利状態よりも低い有利価値を付与する第２有利状態とに制御可能な状態制御手段と、
前記有利状態に制御するか否かと、前記有利状態に制御する場合に前記第１有利状態または前記第２有利状態を含む前記有利状態のいずれに制御するかとを決定する決定手段と、
前記決定手段の決定結果にもとづいて示唆演出を実行する示唆演出実行手段と、
前記示唆演出実行手段によって実行される前記示唆演出の候補を示す複数の選択肢を提示する選択肢提示手段と、
前記選択肢提示手段によって提示された複数の選択肢のうち、前記示唆演出実行手段によって実行される前記示唆演出に対応した選択肢を報知する報知手段とを備え、
前記示唆演出実行手段は、
前記選択肢提示手段によって選択肢が提示されない場合であっても前記示唆演出を実行可能であり、
前記示唆演出として前記第１有利状態に制御される可能性が高いことを示唆する第１示唆演出または該第１示唆演出よりも前記第１有利状態に制御される可能性が低いことを示唆する第２示唆演出を実行可能であり、
前記選択肢提示手段は、前記報知手段によって前記第２示唆演出に対応した選択肢が報知されるときには、選択肢として前記第２示唆演出に対応した選択肢を含むとともに前記第１示唆演出に対応した選択肢を含まない組み合わせの選択肢を提示可能であり、
前記報知手段によって前記第２示唆演出に対応した選択肢が報知されるときに、前記第１示唆演出に対応した選択肢を含む組み合わせの選択肢を提示する場合には、前記第１示唆演出に対応した選択肢を含まない組み合わせの選択肢を提示する場合と比較して、前記第１有利状態に制御される割合が高い
ことを特徴とする遊技機。
【手続補正２】
【補正対象書類名】明細書
【補正対象項目名】０００７
【補正方法】変更
【補正の内容】
【０００７】
（手段１）本発明による遊技機は、可変表示を行い、遊技者にとって有利な有利状態（例えば、大当り遊技状態）に制御可能な遊技機であって、有利状態として、遊技者に所定の有利価値を付与する第１有利状態（例えば、確変大当りにもとづく大当り遊技状態）と、該第１有利状態よりも低い有利価値を付与する第２有利状態（例えば、非確変大当りにもとづく大当り遊技状態）とに制御可能な状態制御手段（例えば、遊技制御用マイクロコンピュータ１００におけるステップＳ１１４〜Ｓ１１７を実行する部分）と、有利状態に制御するか否かと、有利状態に制御する場合に第１有利状態または第２有利状態を含む有利状態のいずれに制御するかとを決定する決定手段（例えば、遊技制御用マイクロコンピュータ１００におけるステップＳ２４０，Ｓ２４４を実行する部分）と、決定手段の決定結果にもとづいて示唆演出（例えば、全図柄変動中予告）を実行する示唆演出実行手段（例えば、演出制御用マイクロコンピュータにおけるステップＳ４６３を実行して全図柄変動中予告を実行する部分）と、示唆演出実行手段によって実行される示唆演出の候補を示す複数の選択肢を提示する選択肢提示手段（例えば、演出制御用マイクロコンピュータにおけるステップＳ４６３を実行して選択演出を実行するときに図２０〜図２２に示すように選択肢ＳＥＬ１〜ＳＥＬ３を表示する部分）と、選択肢提示手段によって提示された複数の選択肢のうち、示唆演出実行手段によって実行される示唆演出に対応した選択肢を報知する報知手段（例えば、演出制御用マイクロコンピュータにおけるステップＳ４６３を実行して選択演出を実行するときに図２０（Ｃ）〜図２２（Ｃ）に示すように最終的に１つの選択肢を選択して報知する部分）とを備え、示唆演出実行手段は、選択肢提示手段によって選択肢が提示されない場合であっても示唆演出を実行可能であり、示唆演出として第１有利状態に制御される可能性が高いことを示唆する第１示唆演出（例えば、高信頼度の全図柄変動中予告）または該第１示唆演出よりも第１有利状態に制御される可能性が低いことを示唆する第２示唆演出（例えば、中信頼度の全図柄変動中予告）を実行可能であり、選択肢提示手段は、報知手段によって第２示唆演出に対応した選択肢が報知されるときには、選択肢として第２示唆演出に対応した選択肢を含むとともに第１示唆演出に対応した選択肢を含まない組み合わせの選択肢を提示可能であり、報知手段によって第２示唆演出に対応した選択肢が報知されるときに、第１示唆演出に対応した選択肢を含む組み合わせの選択肢を提示する場合には、第１示唆演出に対応した選択肢を含まない組み合わせの選択肢を提示する場合と比較して、第１有利状態に制御される割合が高いことを特徴とする。そのような構成により、複数の選択肢の中から相対的に期待度が低いものが選択されて遊技者が落胆してしまうことを防止することができる。
【手続補正３】
【補正対象書類名】明細書
【補正対象項目名】０００８
【補正方法】変更
【補正の内容】
【０００８】
（手段２）手段１において、状態制御手段は、第１有利状態（例えば、確変大当りにもとづく大当り遊技状態）に制御したときに、該第１有利状態の終了後に通常状態と比較して有利状態に制御する割合を高めた高確率状態（例えば、確変状態）に制御し、第２有利状態（例えば、非確変大当りにもとづく大当り遊技状態）に制御したときに、該第２有利状態の終了後に通常状態（例えば、時短状態）に制御するように構成されていてもよい。そのような構成によれば、示唆演出によって高確率状態に制御されるのか否かを示唆できるので、示唆演出に対する興趣を向上させることができる。
【手続補正４】
【補正対象書類名】明細書
【補正対象項目名】０００９
【補正方法】変更
【補正の内容】
【０００９】
（手段３）手段１または手段２において、選択肢提示手段は、第１有利状態に制御されることが確定することを示す第３示唆演出（例えば、金色の全図柄変動中予告）に対応した選択肢（例えば、金色の選択肢）を提示可能であり、報知手段は、選択肢提示手段によって第３示唆演出に対応した選択肢が提示されると、該第３示唆演出に対応した選択肢を報知する（例えば、演出制御用マイクロコンピュータ１００は、図４１（Ｂ）に示すように、確変大当りである場合にのみ金色の選択肢を選択して選択演出を実行可能である）ように構成されていてもよい。そのような構成によれば、第１有利状態に制御されることが確定することを示す第３示唆演出を設けることによって、示唆演出に対する期待感を向上させることができる。
【手続補正５】
【補正対象書類名】明細書
【補正対象項目名】００１０
【補正方法】変更
【補正の内容】
【００１０】
（手段４）手段１から手段３のうちのいずれかにおいて、報知手段によって第２示唆演出に対応した選択肢が報知されるときに選択肢提示手段によって第１示唆演出に対応した選択肢が提示された場合には、報知手段によって第２示唆演出に対応した選択肢が報知されるときに選択肢提示手段によって第１示唆演出に対応した選択肢が提示されなかった場合と比較して、第１有利状態に制御される割合が高い（例えば、演出制御用マイクロコンピュータは、図４４に示すように、確変大当りである場合には、非確変大当りである場合と比較して、高信頼度（ピンク色や桜柄）の選択肢を含む演出態様（ＳＰ７、ＳＰ１０、ＳＰ１１、ＳＰ１４、ＳＰ１５、ＳＰ１６、ＳＰ１７）を高い割合で決定可能である）ように構成されていてもよい。そのような構成によれば、複数の選択肢の中から相対的に期待度が低いものが選択されてしまった場合であっても、遊技者の落胆を軽減することができる。
【手続補正６】
【補正対象書類名】明細書
【補正対象項目名】００１１
【補正方法】変更
【補正の内容】
【００１１】
（手段５）手段１から手段４のうちのいずれかにおいて、選択肢提示手段によって提示された選択肢の数に応じて、第１有利状態と第２有利状態とのいずれに制御されるかの割合が異なる（例えば、演出制御用マイクロコンピュータは、図４４に示すように、確変大当りである場合には、非確変大当りである場合と比較して、選択肢が４つ表示される演出態様（ＳＰ２０）を高い割合で決定可能である）ように構成されていてもよい。そのような構成によれば、選択肢の内容だけでなく、提示される選択肢の数にも注目させることができる。